(57)【要約】      （修正有）【課題】音量レベルの設定など音響機器における各種のパラメータの設定において、オペレータがパラメータ値を最大値あるいは最小値に設定する際、少し雑な設定操作を行ったとしても、適正にパラメータ値を最大値あるいは最小値に設定できるようにする技術を提供する。【解決手段】音量ボリューム２００は、ツマミの左回り限界位置側および右回り限界位置側に不感帯２４１、２５１を設け、ツマミを左回りに回していくと、目盛２３０の位置に到達したとき音量レベルは最小値となり、ツマミは目盛２４０の位置まで回すことができる。ツマミが目盛２３０と２４０の間にある場合、音量レベルは最小値が維持される。ツマミを右回りに回していくと、ツマミ２０１が目盛２３９の位置に到達したとき音量レベルは最大値となり、ツマミはに目盛２５０の位置まで回すことができる。ツマミが目盛２３９と２５０の間にある場合、音量レベルは最大値が維持される。【選択図】図２
2017063357.tif 000002
【特許請求の範囲】
【請求項１】
音響機器のパラメータ値の設定方法において、
前記音響機器は、そのパラメータ値を設定する操作子であって、可動範囲が一定の範囲に限られているものを備えるものとし、
前記操作子の可動範囲の最小値側または最大値側の少なくとも一方に不感帯を設け、操作子の設定位置が前記不感帯に入ったときはパラメータ値として最小値または最大値を設定することを特徴とする音響機器のパラメータ値の設定方法。
【請求項２】
音響機器のパラメータ値の設定装置であって、
前記パラメータ値を設定する操作子であって、可動範囲が一定の範囲に限られ、該可動範囲の最小値側または最大値側の少なくとも一方に不感帯が設けられているものと、
前記操作子の設定位置を検出する手段と、
検出した前記操作子の設定位置に基づくパラメータ値を出力するパラメータ設定手段であって、検出した前記操作子の設定位置が前記不感帯に入る場合は、前記パラメータが取り得る値の範囲の最小値または最大値をパラメータ値として出力するものと
を備えることを特徴とする音響機器のパラメータ値の設定装置。
【請求項３】
請求項２に記載の音響機器のパラメータ値の設定装置において、
前記操作子は、回転型またはスライド型の操作子であることを特徴とする音響機器のパラメータ値の設定装置。
【請求項４】
請求項２または３に記載の音響機器のパラメータ値の設定装置において、
前記パラメータ値は、音響信号の音量レベルを指定するパラメータ値であることを特徴とする音響機器のパラメータ値の設定装置。
【発明の詳細な説明】
【技術分野】
【０００１】
この発明は、音響機器の各種のパラメータ値を設定する方法および装置に関し、特に音響機器の音量レベルの設定などに用いて好適な技術に関する。
【背景技術】
【０００２】
従来より、音響信号を入力して処理する各種の音響機器（例えばミキサやプリアンプやパワーアンプなど）が知られている。これらの音響機器では、基本的な構成要素として、信号のレベル設定用等の操作子が設けられているものが多い。例えば、音響信号を増幅してスピーカに出力するパワーアンプは音量設定用のボリュームを備えている。下記非特許文献１は、フロントパネル上に音量設定用のボリュームを備えたパワーアンプを開示している。
【０００３】
図６（ａ）は、従来のパワーアンプのパネル上の一部外観を示す。６００は、このパワーアンプの音量設定用のボリュームを示す。ボリューム６００は、表面に矢印６０２が付されたツマミ６０１を備えている。ツマミ６０１の周囲のパネル上には、円６０３が描かれ、その円６０３に沿って目盛６３０，６３１，…，６３９が描かれている。補助線６４１と６４２（パネル上に描かれているものではない）は、それぞれツマミ６０１の可動範囲の限界位置を示す。補助線６４１は目盛６３０に対応し、補助線６４２は目盛６３９に対応する。ツマミ６０１を左回りに回転させていき、矢印６０２の先端位置が目盛６３０に至ったとき、ツマミ６０１はその限界位置６４１からさらに左回りに回転させることはできず、このとき音量レベルは最小値を取る。目盛６３０から、ツマミ６０１を右回りに回転させていくと徐々に音量レベルが上がっていく。ツマミ６０１を右回りに回転させていき、矢印６０２の先端位置が目盛６３９に至ったとき、ツマミ６０１はその限界位置６４２からさらに右回りに回転させることはできず、このとき音量レベルは最大値を取る。
【０００４】
図６（ｂ）は、ボリュームの設定位置（すなわちツマミ６０１の矢印６０２の先端の回転方向の位置）と音量レベルとの関係を示すグラフである。横軸は設定位置、縦軸は音量レベルを示す。グラフ６５１に示すように、ツマミ６０１が目盛０（６３０）を指すとき音量レベルが最小値（ｍｉｎ）を取り、ツマミ６０１が目盛９（６３９）を指すとき音量レベルが最大値（ｍａｘ）を取る。なお、ここでは音量レベルはデシベル表現されているものとし、グラフ６５１は直線で表現した。
【先行技術文献】
【非特許文献】
【０００５】
【非特許文献１】パワーアンプ  Ｐ−Ｓシリーズ  仕様書  ２０１４年  ヤマハ株式会社  http://www.yamahaproaudio.com/japan/ja/products/poweramps/ps_series/index.jsp
【発明の概要】
【発明が解決しようとする課題】
【０００６】
ところで、音量レベルの設定など音響機器における各種のパラメータの設定においては、当該パラメータ値を最小値あるいは最大値に設定することはよくある。例えば、複数の音源からの信号に対してミキサにより加工処理あるいは混合処理などを施しパワーアンプで増幅して放音するような場合、パワーアンプのボリュームは最大値に設定し、各信号の細かなレベル調整はミキサで行うことがある。また、一旦すべての音を消したい場面では、パワーアンプのボリュームを最小値に設定することがある。そのため、音響機器のオペレータは、例えばパワーアンプのボリュームが上述の従来技術のような回転型のものである場合は、該ボリュームを右回りに端まで回したり、左回りに端まで回したりする操作を行うことになる。
【０００７】
このようなボリュームは、右回りに回して最大値まで到達したら、その位置が右回り方向の限界であり、それ以上は右には回せない。また、左回りに回して最小値まで到達したら、その位置が左回り方向の限界であり、それ以上は左には回せない。しかし、オペレータが急いで操作した場合などには、右回りに最大値まで回したにもかかわらずその後に少し左回りに戻ってしまったり、左回りに最小値まで回したにもかかわらずその後に少し右回りに戻ってしまったりすることがあった。この場合、オペレータはボリュームを最大値に設定した積もりでも、実際には最大値より少し小さいボリューム値に設定されていたり、逆にオペレータはボリュームを最小値である０に設定した積もりでも、実際には少し大きいボリューム値に設定されて音が出ていたりすることがあった。このような問題は、スライド型の操作子でも発生する。
【０００８】
本発明の目的は、音量レベルの設定など音響機器における各種のパラメータの設定において、オペレータがパラメータ値を最大値あるいは最小値に設定する際、少し雑な設定操作を行ったとしても、適正にパラメータ値を最大値あるいは最小値に設定できるようにする技術を提供することである。
【課題を解決するための手段】
【０００９】
上記目的を達成するため、請求項１に係る発明は、音響機器のパラメータ値の設定方法において、前記音響機器は、そのパラメータ値を設定する操作子であって、可動範囲が一定の範囲に限られているものを備えるものとし、前記操作子の可動範囲の最小値側または最大値側の少なくとも一方に不感帯を設け、操作子の設定位置が前記不感帯に入ったときはパラメータ値として最小値または最大値を設定することを特徴とする。
【００１０】
請求項２に係る発明は、音響機器のパラメータ値の設定装置であって、前記パラメータ値を設定する操作子であって、可動範囲が一定の範囲に限られ、該可動範囲の最小値側または最大値側の少なくとも一方に不感帯が設けられているものと、前記操作子の設定位置を検出する手段と、検出した前記操作子の設定位置に基づくパラメータ値を出力するパラメータ設定手段であって、検出した前記操作子の設定位置が前記不感帯に入る場合は、前記パラメータが取り得る値の範囲の最小値または最大値をパラメータ値として出力するものとを備えることを特徴とする。
【００１１】
請求項３に係る発明は、請求項２に記載の音響機器のパラメータ値の設定装置において、前記操作子は、回転型またはスライド型の操作子であることを特徴とする。
【００１２】
請求項４に係る発明は、請求項２または３に記載の音響機器のパラメータ値の設定装置において、前記パラメータ値は、音響信号の音量レベルを指定するパラメータ値であることを特徴とする。
【発明の効果】
【００１３】
本発明によれば、音量レベルの設定など音響機器における各種のパラメータの設定において、オペレータがパラメータ値を最大値あるいは最小値に設定する際、少し雑な設定操作を行ったとしても、適正にパラメータ値を最大値あるいは最小値に設定することができ、オペレータの操作ミスを補うことができる。
【図面の簡単な説明】
【００１４】
【図１】本発明を適用した実施形態の音響システムの全体構成図
【図２】パワーアンプのパネル上の一部外観図および設定位置と音量レベルとの関係を示すグラフ
【図３】パネル上の目盛例を示す図
【図４】パワーアンプの概略構成図
【図５】操作子の別の例（スライド型）を示す図
【図６】従来のパワーアンプのパネル上の一部外観図および設定位置と音量レベルとの関係を示すグラフ
【発明を実施するための形態】
【００１５】
以下、図面を用いて本発明の実施の形態を説明する。
【００１６】
図１は、本発明を適用した実施形態の音響システムの全体構成図を示す。音源１０１〜１０３は、例えばマイクロフォン、各種記憶媒体に格納されている音データの再生装置、あるいは楽器などである。これらの音源１０１〜１０３から出力された音響信号は、ミキサ１０４に入力する。ミキサ１０４は、入力した音響信号のミキシング処理や効果付与処理などを行い、最終的にＬＲのステレオ２ｃｈの音響信号を出力する。Ｌ側出力信号は、パワーアンプ１０５Ｌにより増幅され、スピーカ１０６Ｌにより放音される。Ｒ側出力信号は、パワーアンプ１０５Ｒにより増幅され、スピーカ１０６Ｒにより放音される。
【００１７】
図２は、図１のパワーアンプ１０５Ｌ，１０５Ｒのパネル上に設けられている音量ボリュームの外観を示す。音量ボリューム２００は、表面に矢印２０２が付されたツマミ２０１を備えている。ツマミ２０１の周囲のパネル上には、円２０３が描かれ、その円２０３に沿って目盛２３０，２３１，…，２３９が描かれている。目盛２３０は音量レベルが最小に設定される位置を示し、目盛２３９は音量レベルが最大に設定される位置を示す。さらに目盛２４０と２５０はツマミ２０１の可動範囲の限界位置を示す。目盛２４０はツマミ２０１の左回りの限界位置、目盛２５０はツマミ２０１の右回りの限界位置である。なお、以下では、ツマミ２０１の矢印２０２の先端が指す位置を単に「ツマミ２０１の位置」と呼ぶ。
【００１８】
本実施形態の音量ボリューム２００は、ツマミ２１０の左回り限界位置側および右回り限界位置側に不感帯２４１，２５１を設けている。すなわち、ツマミ２０１を左回りに回していくと、ツマミ２０１が目盛２３０の位置に到達したとき音量レベルは最小値となるが、ツマミ２０１はさらに左回りに目盛２４０の位置まで回すことができる。ツマミ２０１が目盛２３０と２４０の間（すなわち不感帯２４１）にある場合、音量レベルは最小値が維持される。同様に、ツマミ２０１を右回りに回していくと、ツマミ２０１が目盛２３９の位置に到達したとき音量レベルは最大値となるが、ツマミ２０１はさらに右回りに目盛２５０の位置まで回すことができる。ツマミ２０１が目盛２３９と２５０の間（すなわち不感帯２５１）にある場合、音量レベルは最大値が維持される。
【００１９】
補助線２４２と２４３（パネル上に描かれているものではない）は、それぞれ目盛２４０と２３０のツマミ２０１の回転方向の位置ａ０，ａ１を示す。目盛２４０と２３０の間は不感帯２４１であることを示すため、目盛２４０と２３０とをつなぐ線がパネル上に記入されている。補助線２５２と２５３（パネル上に描かれているものではない）は、それぞれ目盛２３９と２５０のツマミ２０１の回転方向の位置ａ２，ａ３を示す。目盛２３９と２５０の間は不感帯２５１であることを示すため、目盛２３９と２５０とをつなぐ線がパネル上に記入されている。
【００２０】
図２（ｂ）は、ボリュームのツマミの設定位置と音量レベルとの関係を示すグラフである。横軸はツマミ２０１の設定位置、縦軸は音量レベルを示す。図２（ａ）に示したように、ａ０，ａ１，ａ２，ａ３は、順に補助線２４２，２４３，２５２，２５３に対応するツマミ２０１の回転方向の位置を示す。ツマミ２０１が位置ａ０からａ１の間２６１（不感帯２４１に対応）に位置するときは、音量レベルは最小値（ｍｉｎ）が維持される。ツマミ２０１が位置ａ１からａ２の間２６０に位置するときは、音量レベルは当該ツマミ２０１の設定位置に応じた値に設定される。ツマミ２０１が位置ａ２からａ３の間２６２（不感帯２５１に対応）に位置するときは、音量レベルは最大値（ｍａｘ）が維持される。
【００２１】
図３は、パネル上の目盛例を示す。矢印２０２が付されたツマミ２０１は図２に示したものと同様のものである。３０１はツマミの周囲のパネル上に記入された目盛を示す。ここではデシベル表現を採用し、それを示すためツマミ２０１の下側のパネル上に「−ｄＢ」３０２と表記してある。
【００２２】
図３（ａ）の例では、３１１が左回り限界位置、３１２が音量レベルが最小値である−∞ｄＢとなる位置、３１３が不感帯を示す。ツマミ２０１の位置が不感帯３１３にある場合、音量レベルは−∞ｄＢに維持される。同様に、３１４が右回り限界位置、３１５が音量レベルが最大値である０ｄＢとなる位置、３１６が不感帯を示す。ツマミ２０１の位置が不感帯３１６にある場合、音量レベルは０ｄＢに維持される。この例では、不感帯３１３を位置３１１と３１２とをつなぐ線で表し、不感帯３１６を位置３１４と３１５とをつなぐ線で表している。明確な線で不感帯がパネル上に表記されているので、オペレータはこれらの線で表記された不感帯にかかるようにツマミ２０１を位置させるだけで、音量レベルを最小値や最大値に設定できる。従って、雑な操作を行ったとしても、音量レベルを最小値や最大値に設定する際の設定ミスはほとんど生じることはない。また、見易さの点からも、ツマミ２０１の位置が不感帯にかかっていれば最小値あるいは最大値に設定されていることは一目で認識でき、非常に見易い。
【００２３】
図３（ｂ）の例では、３２１が左回り限界位置、３２２が音量レベルが最小値である−∞ｄＢとなる位置、３２３が不感帯を示す。ただし、左回り限界位置３２１の位置を示す目盛線は省略されている。ツマミ２０１の位置が不感帯３２３にある場合、音量レベルは−∞ｄＢに維持される。同様に、３２４が右回り限界位置、３２５が音量レベルが最大値である０ｄＢとなる位置、３２６が不感帯を示す。ただし、右回り限界位置３２４の位置を示す目盛線は省略されている。ツマミ２０１の位置が不感帯３２６にある場合、音量レベルは０ｄＢに維持される。
【００２４】
この例では、不感帯３２３を位置３２１と３２２とをつなぐ線で表し、不感帯３２６を位置３２４と３２５とをつなぐ線で表している。限界位置３２１と３２４を示す目盛線は省略されているが、限界位置３２１と３２４が明確に示されていなくても、図３（ｂ）の例は図３（ａ）の例と同様の効果を奏する。なお、不感帯３２３を示す線の端部位置を限界位置３２１と一致させてもよいが、必ずしも一致させる必要は無い。不感帯３２３を示す線の端部を限界位置３２１を越えて延ばしてもよいし、限界位置３２１に至る前で不感帯３２３を示す線を止めてもよい。不感帯３２３を示す線の長さがある程度あれば、その長さにかかわりなく、左回りのときは位置３２２を越えて不感帯３２３があるのでオペレータの設定ミスは軽減できるし、ツマミ２０１が不感帯３２３に入ったことも一目で分かる。不感帯３２６側も同様である。
【００２５】
図３（ｃ）は、不感帯を色の帯３３１，３３２で表現した例である。もちろん図３（ａ）や図３（ｂ）の例で不感帯部分の色をパネルの背景色や目盛色と異なる色としてもよい。図３（ｃ）は、パネルの背景色や目盛色と異なる色の単なる帯３３１，３３２で不感帯を表現している。
【００２６】
図４は、図２，３で説明した音量ボリュームを備えたパワーアンプ（図１の１０５Ｌや１０５Ｒ）の概略構成を示す。パワーアンプは、入力信号のレベル制御を行うレベル制御部４０１とレベル制御部４０１からの音響信号を増幅してスピーカに出力する信号増幅部４０２を備える。レベル制御部４０１は、パラメータ設定部４１０から出力されるパラメータであるレベル値（電圧）に応じて入力信号のレベル制御を行う。
【００２７】
パラメータ設定部４１０は、可変抵抗器４１１、Ａ／Ｄ変換部４１２、テーブル変換部４１３、およびＤ／Ａ変換部４１４を備える。可変抵抗器４１１は、図２，３で説明した回転操作可能な操作子であるボリュームである。可変抵抗器４１１の可動域は、例えば図２の位置ａ０からａ３の範囲に相当する。可変抵抗器４１１は、ツマミの設定位置に応じた電圧を出力する。Ａ／Ｄ変換部４１２は、その電圧をデジタル値に変換し、例えば０〜１１０の整数値に正規化して出力する。この出力は、図２（ｂ）の横軸ａ０からａ３の範囲に相当する。
【００２８】
テーブル変換部４１３は、図２（ｂ）のグラフの関係となるように入力値に対応する出力値を決定し出力する。例えば、テーブル変換部４１３への入力値ＩＮが０〜５のときは出力値ＯＵＴ＝０とし、入力値ＩＮが６〜１０４のときは出力値ＯＵＴ＝ＩＮ−５とし、入力値ＩＮが１０５〜１１０のときは出力値ＯＵＴ＝１００とする。これにより、テーブル変換部４１３は、可変抵抗器４１１のツマミ位置に応じた０〜１００の範囲のパラメータ値ＯＵＴ（レベル値のデジタル表現データ）を出力する。
【００２９】
Ｄ／Ａ変換部４１４は、テーブル変換部４１３からの０〜１００の範囲の出力値ＯＵＴに応じた制御電圧をレベル値としてレベル制御部４０１に出力する。この制御電圧は、出力値ＯＵＴ＝０のときレベル制御部４０１により入力信号が最小レベルに制御され、出力値ＯＵＴ＝１００のときレベル制御部４０１により入力信号が最大レベルに制御されるような電圧値である。
【００３０】
上記では回転型の操作子を例に説明したが、スライド型の操作子でも同様である。図５は、スライド型操作子に本発明を適用した例である。ボリューム５００は、ツマミ５０１を上下に動かす形の操作子である。５１１はツマミ５０１の移動範囲の最小位置、５１２は最大位置である。最小位置５１１が図２の位置ａ０に対応し、最大位置５１２が位置ａ３に対応する。５２１は設定値が最小値を取る位置、５２２は最大値を取る位置である。位置５２１が図２の位置ａ１に対応し、位置５２２が位置ａ２に対応する。位置５１１と５２１の間が不感帯であり、ツマミ５０１がこの範囲にあるとき設定値は最小値を維持する。位置５１２と５２２の間が不感帯であり、ツマミ５０１がこの範囲にあるとき設定値は最大値を維持する。
【００３１】
上記実施形態では、音量レベルを設定する操作子に本発明を適用した例を説明したが、本発明は音量レベル以外のパラメータ設定にも適用可能である。ただし、本発明は、パワーアンプの音量レベルのように最小値や最大値に設定する操作が頻繁に行われるようなパラメータ設定に適用して好適である。
【００３２】
上記実施形態では、図２（ｂ）に示した設定位置と音量レベル（パラメータ値）との関係を図４のパラメータ設定部のような構成で実現したが、図２（ｂ）のような関係が実現できれば別の構成でも良い。例えば、可変抵抗器４１１とＡ／Ｄ変換部４１２の代わりに、上述の入力値ＩＮを直接的に発生できるエンコーダなどを用いても良い。ただし、パラメータ値を設定する操作子は、可動範囲が限られているもの、すなわち最小値側と最大値側の両方に移動の限界位置を持つような操作子であるものとする。本発明は、オペレータが操作子を限界位置に設定する操作を行ったとき、雑に操作したために実際にはその限界位置から少しずれた位置に操作子が設定された場合でも、オペレータの意図をくんで、パラメータ値を限界位置に対応する値（最小値や最大値）に自動的に設定してくれることを特徴とするものだからである。
【００３３】
上記実施形態では、音量レベル（パラメータ値）の最小値側と最大値側の両方に不感帯を設けた例を説明したが、何れか一方のみに不感帯を設けるようにしてもよい。また、操作子の可動範囲内の不感帯の長さは任意である。上記実施形態では、不感帯の長さは予め決められた固定の長さとしたが、オペレータが自分の好みに応じて不感帯の長さを設定できるようにしても良い。
【００３４】
操作子の中には、所定のシフトスイッチ等を押さずに操作した場合と、該シフトスイッチ等を押しながら操作した場合とで、それぞれ異なるパラメータの値を設定できるものや、複数のモードのうち指定されたモードに応じたパラメータを設定できるものがある。そのような操作子では、パラメータ種類に応じて、第１のパラメータは図６（ｂ）のように変化し、第２のパラメータは図２（ｂ）のように変化する、というようにしてもよい。
【符号の説明】
【００３５】
１０１〜１０３…音源、１０４…ミキサ、１０５Ｌ，１０５Ｒ…パワーアンプ、１０６Ｌ，１０６Ｒ…スピーカ、２０１…ツマミ、２３０〜２３９…目盛、２４１，２５１…不感帯、２４０，２５０…操作子の限界位置、４０１…レベル制御部、４０２…信号増幅部、４１０…パラメータ設定部、４１１…可変抵抗器、４１２…Ａ／Ｄ変換部、４１３…テーブル変換部、４１４…Ｄ／Ａ変換部。
【図１】
2017063357.tif 000003
【図２】
2017063357.tif 000004
【図３】
2017063357.tif 000005
【図４】
2017063357.tif 000006
【図５】
2017063357.tif 000007
【図６】
2017063357.tif 000008